(57)【要約】【課題】発光点の多寡に拘わらず光源の光量一定制御を確実に行う。【解決手段】光書き込みを行うＬＤ６の出力光量を制御する光量制御装置において、ＬＤ点灯信号１１に基づいて前記ＬＤ６へ駆動電流を供給するスイッチング素子５と、スイッチング素子５からＬＤ６に供給される駆動電流量を定めるＤＡＣ２、Ｖ／Ｉ変換器３及び電流増幅器４と、ＬＤ６からの射出光を受光し、受光した光量に応じた電圧を出力するＰＤ７及びＩ／Ｖ変換器８と、ＰＤ７及びＩ／Ｖ変換器８によって検出された検出値に基づいて前記駆動電流量を設定するＣＰＵ１と、を備えた。【選択図】図１
2008218720.tif 000002
【特許請求の範囲】
【請求項１】
光書き込みを行う光源の出力光量を制御する光量制御装置において、
前記光源へ駆動電流を供給する駆動手段と、
前記駆動手段から光源に供給される駆動電流量を定める駆動電流設定手段と、
前記光源からの射出光を受光し、受光した光量に応じた電圧を出力する光量検出手段と、
前記光量検出手段によって検出された検出値に基づいて前記駆動電流量を設定する演算処理手段と、
を備えていることを特徴とする光量制御装置。
【請求項２】
請求項１記載の光量制御装置において、
Ａ／Ｄ変換手段をさらに備え、当該Ａ／Ｄ変換手段は前記光量検出手段によって電圧として検出された光量の検出値をＡ／Ｄ変換し、
前記演算処理手段は前記Ａ／Ｄ変換手段でＡ／Ｄ変換された電圧値に基づいて前記駆動電流量を設定することを特徴とする光量制御装置。
【請求項３】
請求項２記載の光量制御装置において、
前記駆動手段及び前記駆動電流設定手段がそれぞれ複数設けられていることを特徴とする光量制御装置。
【請求項４】
請求項２記載の光量制御装置において、
前記光源から射出される光量の物理量を測定する光量測定手段をさらに備え、
前記演算処理手段は、前記駆動電流量を前記光源が発光しない値から漸次増加していき、前記光量測定手段によって測定される前記物理量が目標の値になったときの前記Ａ／Ｄ変換手段における変換値を以後の目標値として前記駆動電流量を設定することを特徴とする光量制御装置。
【請求項５】
請求項２記載の光量制御装置において、
前記光源から射出される光量の物理量を測定する光量測定手段をさらに備え、
前記演算処理手段は、前記駆動電流量を前記光源が発光しない値から漸次増加していき、前記光量測定手段によって測定される前記物理量が目標の値近傍になった時点での前記Ａ／Ｄ変換手段における変換値と前記目標の値近傍の物理量とから以後の目標値を算出し、前記駆動電流量を設定することを特徴とする光量制御装置。
【請求項６】
請求項３記載の光量制御装置において、
前記光源から射出される光量の物理量を測定する光量測定手段をさらに備え、
前記演算処理手段は、各光源について前記駆動電流量を前記光源が発光しない値から漸次増加していき、前記光量測定手段によって測定される前記物理量が目標の値になったときの前記Ａ／Ｄ変換手段における変換値を以後の目標値として前記各光源の駆動電流量を設定することを特徴とする光量制御装置。
【請求項７】
請求項３記載の光量制御装置において、
前記光源から射出される光量の物理量を測定する光量測定手段をさらに備え、
前記演算処理手段は、１つ目の光源については前記駆動電流量を前記光源が発光しない値から漸次増加していき、前記光量測定手段によって測定される前記物理量が目標の値になったときの前記Ａ／Ｄ変換手段における変換値を以後の目標値として前記光源の駆動電流量を設定するとともに、前記設定された駆動電流量を保持し、２つ目以降の光源については当該光源に供給する駆動電流量を前記保持した駆動電流量の値に所定の係数を掛けた値から漸次増加し、駆動電流量を設定するという動作を繰り返すことを特徴とする光量制御装置。
【請求項８】
請求項３記載の光量制御装置において、
前記光源から射出される光量の物理量を測定する光量測定手段をさらに備え、
前記演算処理手段は、各光源について前記駆動電流量を前記光源が発光しない値から漸次増加していき、前記光量測定手段によって測定される前記物理量が目標の値近傍になった時点での前記Ａ／Ｄ変換手段における変換値と前記目標値近傍の物理量とから前記各光源について以後の目標値を算出し、前記各光源の駆動電流量を設定することを特徴とする光量制御装置。
【請求項９】
請求項５又は８記載の光量制御装置において、
前記光量の物理量が目標の値付近となった時点における光量の検出値のＡ／Ｄ変換値と、ＬＤ光量の物理量とから以後の目標値を算出する算出式は、
目標とする光量の検出値のＡ／Ｄ変換値
＝（目標光量物理量／測定光量物理量）×（現在の光量の検出値のＡ／Ｄ変換値）
であることを特徴とする光量制御装置。
【請求項１０】
請求項４、５、７及び８のいずれか１項に記載の光量制御装置において、
前記演算処理手段が前記目標値を記憶する記憶手段を備えていることを特徴とする光量制御装置。
【請求項１１】
請求項１ないし１０のいずれか１項に記載の光量制御装置において、
前項光源がレーザダイオードであることを特徴とする光量制御装置。
【請求項１２】
請求項１ないし１１のいずれか１項に記載の光量制御装置を備えていることを特徴とする光書き込み装置。
【請求項１３】
請求項１２記載の光量制御装置を備えていることを特徴とする画像形成装置。
【発明の詳細な説明】
【技術分野】
【０００１】
本発明は、光書き込みに用いられる光源の光量制御装置、この光量制御装置を備えた光書き込み装置、及びこの光書き込み装置を備えた画像形成装置に関する。
【背景技術】
【０００２】
プリンタ、複写機などの印刷装置の書き込み光源として一般的にレーザダイオードが使用される。この光書き込み光源に用いられるレーザダイオードは生成する画像の濃度を一定とするため、発光光量を一定の値に保つ必要がある。そこで、例えば特許文献１には、レーザダイオード（ＬＤ）の光量を一定に保つため、ＬＤと同一パッケージに収容された受光素子（ＰＤ）でＬＤからの光を受光し、受光した受光素子で発生したモニタ電流を使用して光量が一定になるように制御している。すなわち、受光により受光素子で発生したモニタ電流は、光量設定用可変抵抗を流れてモニタ電圧に変換され、コンパレータに入力されて基準電圧と比較され、ホールドコンデンサの電圧を制御する。具体的には、コンパレータ出力はコントロール回路に接続され、コントロール回路に入力されるサンプルホールド信号がサンプル状態のときには、モニタ電圧と基準電圧を比較し、「モニタ電圧＞基準電圧」のときには、ホールドコンデンサに、放電用定電流源から電流が流れてホールドコンデンサの電圧が下降し、「モニタ電圧＜基準電圧」のときには、ホールドコンデンサに、充電用定電流源から電流が流れてホールドコンデンサの電圧が上昇し、コントロール回路に入力されるサンプルホールド信号がホールド状態のときには、ホールドコンデンサへの定電流源の接続を開放する、という動作が行われる。これにより、ホールドコンデンサの端子電圧は誤差増幅器に入力され、基準電圧との差異により、ＬＤへ供給する電流を増減することになる。この一連の制御ループにより、ＬＤの発光光量が一定に保持される。
【０００３】
一方、近年、１つのパッケージ内に多数の発光点を備えた発光素子が開発され、印刷装置の書き込み光源として用いられている。例えば特許文献２には、３２個の発光点を備えた面発光素子（ＶＣＳＥＬ）を用いた画像形成装置が開示されている。
【特許文献１】特開２００１−１３８５６６号公報
【特許文献２】特開２００３−２６６７７４号公報
【発明の開示】
【発明が解決しようとする課題】
【０００４】
しかし、特許文献１記載の発明のように、サンプル期間中にホールドコンデンサへの充放電を行い、サンプル期間以外はホールドして光量を一定にする制御方式では、ホールドコンデンサの漏れ電流による端子電圧の低下による光量低下が問題となる場合がある。また、サンプル期間は、画像書き込み期間以外に置く必要があるので、特許文献２記載の発明のように発光点数が多い光源を使用したものでは、１スキャン周期内で全ての発光点の光量制御を実施することができず、ホールドコンデンサの端子電圧低下による光量低下がさらに問題となる。
【０００５】
そこで、本発明が解決すべき課題は、光量一定制御を確実に行えるようにすることにあり、特に発光点の多い光源においても光量一定制御が確実に実施できるようにすることにある。
【課題を解決するための手段】
【０００６】
前記課題を解決するため、第１の手段は、光書き込みを行う光源の出力光量を制御する光量制御装置において、前記光源へ駆動電流を供給する駆動手段と、前記駆動手段から光源に供給される駆動電流量を定める駆動電流設定手段と、前記光源からの射出光を受光し、受光した光量に応じた電圧を出力する光量検出手段と、前記光量検出手段によって検出された検出値に基づいて前記駆動電流量を設定する演算処理手段と、を備えていることを特徴とする。
【０００７】
第２の手段は、第１の手段において、Ａ／Ｄ変換手段をさらに備え、当該Ａ／Ｄ変換手段が前記光量検出手段によって電圧として検出された光量の検出値をＡ／Ｄ変換し、前記演算処理手段は前記Ａ／Ｄ変換手段でＡ／Ｄ変換された電圧値に基づいて前記駆動電流量を設定することを特徴とする。
【０００８】
第３の手段は、第２の手段において、前記駆動手段及び前記駆動電流設定手段がそれぞれ複数設けられていることを特徴とする。
【０００９】
第４の手段は、第２の手段において、前記光源から射出される光量の物理量を測定する光量測定手段をさらに備え、前記演算処理手段が、前記駆動電流量を前記光源が発光しない値から漸次増加していき、前記光量測定手段によって測定される前記物理量が目標の値になったときの前記Ａ／Ｄ変換手段における変換値を以後の目標値として前記駆動電流量を設定することを特徴とする。
【００１０】
第５の手段は、第２の手段において、前記光源から射出される光量の物理量を測定する光量測定手段をさらに備え、前記演算処理手段が、前記駆動電流量を前記光源が発光しない値から漸次増加していき、前記光量測定手段によって測定される前記物理量が目標の値近傍になった時点での前記Ａ／Ｄ変換手段における変換値と前記目標の値近傍の物理量とから以後の目標値を算出し、前記駆動電流量を設定することを特徴とする。
【００１１】
第６の手段は、第３の手段において、前記光源から射出される光量の物理量を測定する光量測定手段をさらに備え、前記演算処理手段が、各光源について前記駆動電流量を前記光源が発光しない値から漸次増加していき、前記光量測定手段によって測定される前記物理量が目標の値になったときの前記Ａ／Ｄ変換手段における変換値を以後の目標値として前記各光源の駆動電流量を設定することを特徴とする。
【００１２】
第７の手段は、第３の手段において、前記光源から射出される光量の物理量を測定する光量測定手段をさらに備え、前記演算処理手段が、１つ目の光源については前記駆動電流量を前記光源が発光しない値から漸次増加していき、前記光量測定手段によって測定される前記物理量が目標の値になったときの前記Ａ／Ｄ変換手段における変換値を以後の目標値として前記光源の駆動電流量を設定するとともに、前記設定された駆動電流量を保持し、２つ目以降の光源については当該光源に供給する駆動電流量を前記保持した駆動電流量の値に所定の係数を掛けた値から漸次増加し、駆動電流量を設定するという動作を繰り返すことを特徴とする。
【００１３】
第８の手段は、第３の手段において、前記光源から射出される光量の物理量を測定する光量測定手段をさらに備え、前記演算処理手段が、各光源について前記駆動電流量を前記光源が発光しない値から漸次増加していき、前記光量測定手段によって測定される前記物理量が目標の値近傍になった時点での前記Ａ／Ｄ変換手段における変換値と前記目標値近傍の物理量とから前記各光源について以後の目標値を算出し、前記各光源の駆動電流量を設定することを特徴とする。
【００１４】
第９の手段は、第５又は第８の手段において、前記光量の物理量が目標の値付近となった時点における光量の検出値のＡ／Ｄ変換値と、ＬＤ光量の物理量とから以後の目標値を算出する算出式が、
目標とする光量の検出値のＡ／Ｄ変換値
＝（目標光量物理量／測定光量物理量）×（現在の光量の検出値のＡ／Ｄ変換値）
であることを特徴とする。
【００１５】
第１０の手段は、第４、５、７及び８のいずれかの手段において、前記演算処理手段が前記目標値を記憶する記憶手段を備えていることを特徴とする。
【００１６】
第１１の手段は、第１ないし第１０のいずれかの手段において、前項光源がレーザダイオードであることを特徴とする。
【００１７】
第１２の手段は、第１ないし第１１のいずれかの手段に係る光量制御装置を光書き込み装置が備えていることを特徴とする。
【００１８】
第１３の手段は、第１２の手段に係る光量制御装置を画像形成装置が備えていることを特徴とする。
【００１９】
なお、後述の実施形態では光源はＬＤ６，６＿１・・・Ｎに、駆動手段はＬＤ点灯信号１１，１１＿・・・Ｎ及びスイッチング素子５，５＿１・・・Ｎに、駆動電流設定手段は電流増幅器４、４＿１・・・Ｎに、光量検出手段はＰＤ７に、演算処理手段はＣＰＵ１に、Ａ／Ｄ変換手段はＡＤＣ９に、光量測定手段は光パワーメータ１３に、それぞれ対応する。
【発明の効果】
【００２０】
本発明によれば、発光点の多寡に拘わらず光源の光量一定制御を確実に行うことができる。
【発明を実施するための最良の形態】
【００２１】
以下、本発明の実施形態について図面を参照して説明する。
【実施例１】
【００２２】
図１は本発明の実施例１に係る光量制御装置の回路構成を示すブロック図である。同図において、光量制御装置は、ＣＰＵ１、ＤＡＣ（デジタル／アナログ変換器）２、Ｖ／Ｉ（電圧／電流）変換器３、電流増幅器４、スイッチング素子５、ＬＤ（レーザダイオード）６、ＰＤ（フォトダイオード）７、Ｉ／Ｖ（電流／電圧）変換器８、及びＡＤＣ（アナログ／デジタル変換器）９から基本的に構成されている。
【００２３】
このような構成要素を備えた光量制御装置では、ＣＰＵ１は、入力される図示しないサンプルホールド回路からのサンプルホールド信号１０に基づいてＤＡＣ２に対してＬＤ駆動電流に対応するＤＡＣコードを設定する。ＤＡＣ２は設定されたＤＡＣコードに応じた電圧を出力する。ＤＡＣ２から出力された電圧はＶ／Ｉ変換部３で電流に変換され、電流増幅器４に入力される。電流増幅器４からの出力電流は、ＬＤ点灯信号１１がオンのとき、スイッチング素子５がオンとなってＬＤ６に供給され、ＬＤ６は電流に応じた光量で点灯する。
【００２４】
ＬＤ６から出射した光は、ハーフミラー１４によって２つのビームに分割され、一部は光検出部のＰＤ７に入射する。一部は画像形成装置本体の記録媒体１２へ導かれる。ＰＤ７に入射した光は電流に変換され、Ｉ／Ｖ変換部８で電圧に変換され、ＡＤＣ９に入力される。ＡＤＣ９のデジタル変換出力は、ＣＰＵ１に入力される。ＣＰＵ１はＡＤＣ９からの入力されるデジタル変換値と予め設定した目標デジタル値とを比較し、デジタル変換入力と目標デジタル値とが一致するように、新たなＤＡＣコードを演算する。その後、ＣＰＵ１はＤＡＣ２に対して新たなＤＡＣコードを設定する。
【００２５】
この一連の制御ループを実行することにより、ＬＤ６の出力光量を目標の一定値に保つ。
【００２６】
図２は画像出力しながら光量制御を行うタイミングを示すタイミングチャートである。このタイミングチャートは、同期検知信号、画像出力期間、ＬＤ点灯信号、サンプルホールド（Ｓ／Ｈ）信号、ＡＤＣサンプリング信号、設定値演算信号、ＤＡＣ設定信号の出力タイミングを示すものである。同期検知信号は光書き込みを行う際に書き込み開始タイミングを設定し、それ以降のタイミングの同期を取るためのもので、走査された光を同期検知センサによって検知することによって得られる。この同期検知信号がオンになって所定時間後、画像出力期間となり、ＬＤ６が点灯する。また、サンプルホールド信号１０の入力によりＡＤＣサンプリング信号が出力され、この出力に応じてＤＡＣ２の設定値が演算され、ＤＡＣコードが設定される。
【００２７】
図３は目標デジタル値を求めるための回路構成を示すブロック図である。この制御では、ＬＤ６の光量を目標の値に保つために予め目標デジタル値を求める必要がある。そこで、図３に示すようにＬＤ６の光量を目標の値とする目標デジタル値を求めるためにＬＤ光量の物理量を測定する光パワーメータ１３を記録媒体１２への光路中に挿入し、光パワーメータ１３の出力をＣＰＵ１へ入力する。ここで物理量を測定するとは、光量の絶対的な値を取得することを意味している。
【００２８】
図４は図３の回路構成で目標デジタル値を求める制御手順を示すフローチャートである。この制御手順では、ＣＰＵ１はＬＤ６が発光しない値のＤＡＣコードを設定し（ステップＳ１０１）、ＬＤ点灯信号をオンとする（ステップＳ１０２）。次いで、ＰＤ７からＬＤ６の発光光量に基づいてデジタル値を取り込み（ステップＳ１０３）、パワーメータ１３から光量Ｐを取り込む（ステップＳ１０４）。そして、Ｐが目標値になるまでＤＡＣコードを１ずつ増分しながら（ステップＳ１０５、Ｓ１０６）、ステップＳ１０３からＳ１０５の手順を繰り返し、光量Ｐが目標値となった時点で、そのときのＤＡＣコードに基づくデジタル値を目標デジタル値とする（ステップＳ１０７）。この制御手順はプログラム化され、ＣＰＵ１で実行される。
【００２９】
このようにしてステップＳ１０７で求められた目標デジタル値をＣＰＵ１は保持し、以降はこの目標デジタル値を用いてＬＤ６の光量を一定値に保つ。
【００３０】
このように制御すると、ＬＤ駆動電流の設定値をＤＡＣ２に設定するのでホールドコンデンサが不要となる。
【００３１】
図５は図３の回路構成で目標デジタル値を求める他の制御手順を示すフローチャートである。この制御手順では、ステップＳ１０５の光量Ｐが目標値であるか否かの判断を目標値より大きいか否かの判断とし、ステップＳ１０６のＤＡＣコードの増分を１とする処理をｍとする処理にしたものである。また、この変更に伴って、ステップＳ１０７の目標デジタル値の演算処理を、
目標デジタル値＝（目標光量／測定光量）×取得デジタル値  ・・・（１）
とする処理（ステップＳ１０７ａ）に変更した。
【００３２】
すなわち、図５の制御手順では、光量が目標に達していないとき（ステップＳ１０５ａ−Ｎｏ）、ＤＡＣコードを、ＤＡＣの最小分解能より大きなステップｍで増加する（ステップＳ１０６ａ）。そして、光量が目標以上となった時点で、ＰＤ７からのデジタル値と、光量と、目標光量とから、式（１）で示すようにして目標デジタル値を算出する（ステップＳ１０７ａ）。これにより、光量が目標と一致していなくとも、正確に目標デジタル値を求めることができる。また、ＤＡＣコードの増加を、ＤＡＣの最小分解能より大きなステップで行うので、制御に要する時間を短縮することが可能となる。その他の各ステップは図３と同様に処理される。
【００３３】
なお、この制御手順もプログラム化され、ＣＰＵ１で実行される。
【実施例２】
【００３４】
図６は本発明の実施例２に係る光量制御装置の回路構成を示すブロック図である。この実施例２は実施例１の対象が、発光点（発光源）が単数のものであるのに対して、発光点が複数、ここでは、発光点がＮ個（Ｎは２以上の正の整数）ある場合を対象とするものである。
【００３５】
そこで、本実施例では、実施例１における光量制御装置に対してＤＡＣ２をＮ個、Ｖ／Ｉ変換器３をＮ個、電流増幅器４をＮ個、スイッチング素子５をＮ個、ＬＤ６をＮ個設けたものである。図では、これら１〜Ｎ個の各要素に対して＿１，＿２・・・＿Ｎを付して示す。
【００３６】
このように構成された光量制御装置では、ＣＰＵ１は、ＤＡＣ＿１（２＿１）に対してＬＤ駆動電流に対応するＤＡＣコード１を設定する。ＤＡＣ＿１（２＿１）は、設定されたＤＡＣコード１に応じた電圧を出力する。ＤＡＣ＿１（２＿１）から出力された電圧はＶ／Ｉ変換部＿１（３＿１）で電流に変換され、電流増幅器＿１（４＿１）に入力される。電流増幅器＿１（４＿１）からの出力電流は、ＬＤ点灯信号＿１（１１＿１）がオンのときＬＤ＿１（６＿１）に供給され、ＬＤ＿１（６＿１）が電流に応じた光量で点灯する。
【００３７】
ＬＤ＿１（６＿１）から出射した光は、ハーフミラー１４によって２つのビームに分割され、一部はＰＤ（光検出部）７に入射し、他部は記録媒体１２へ導かれる。ＰＤ７に入射した光は電流に変換され、Ｉ／Ｖ変換部８で電圧に変換され、ＡＤＣ９に入力される。ＡＤＣ９のデジタル変換出力はＣＰＵ１に入力される。
【００３８】
ＣＰＵ１はＡＤＣ９からのデジタル変換入力を、予め定めた目標デジタル値＿１と比較し、デジタル変換入力と目標デジタル値＿１とが一致するように、新たなＤＡＣコード＿１を演算する。その後、ＣＰＵ１はＤＡＣ２に対して新たなＤＡＣコード＿１を設定する。
【００３９】
以上の制御を、ＬＤ＿２．．．Ｎに対しても順次行い、これを繰り返すことにより、各ＬＤ６の出力光量を、目標の一定値に保つ。
【００４０】
図７は画像出力しながら光量制御を行うタイミングを示すタイミングチャートである。この例ではＮ＝４の場合について、１スキャン周期内に２つのＬＤの光量制御を行っている。
【００４１】
このタイミングチャートは、同期検知信号、画像出力期間、サンプルホールド（Ｓ／Ｈ）信号、ＬＤ点灯信号１〜４、ＡＤＣサンプリング信号、設定値演算信号１〜４、ＤＡＣ設定信号１〜４のタイミングを示すものである。同期検知信号は光書き込みを行う際に書き込み開始タイミングを設定し、それ以降のタイミングの同期を取るためのもので、走査された光を同期検知センサによって検知することによって得られる。この同期検知信号がオンになって所定時間後、画像出力期間となり、ＬＤ＿１〜４（６＿１〜４）が点灯する。また、サンプルホールド信号１０の入力によりＡＤＣサンプリング信号が出力され、この出力に応じてＤＡＣ＿１〜４（２＿１〜４）の設定値が演算され、それぞれのＤＡＣ＿１〜４（２＿１〜４）のＤＡＣコードが設定される。
【００４２】
この制御でも、各ＬＤ＿１〜４（６＿１〜４）の光量を目標の値に保つために、予め個々に目標デジタル値を求める必要がある。そこで、本実施例２においても実施例１と同様に各ＬＤの光量を目標の値とする目標デジタル値を求めるために、ＬＤ光量の物理量を測定する光パワーメータ１３を記録媒体への光路中に挿入し、光パワーメータ１３の出力をＣＰＵ１へ入力する。図８は実施例２における目標デジタル値を求めるための回路構成を示すブロック図である。図８は図７に対して光パワーメータ１３を設けただけの構成であるので、同一の構成要素には同一の参照符号を付し、重複する説明は省略する。
【００４３】
図９は図８の回路構成で目標デジタル値を求める制御手順を示すフローチャートである。この制御手順では、まず制御対象をチャンネル１に設定し（ステップＳ２０１）＿１の系統の回路から制御を開始する。そこで、ＣＰＵ１はＬＤ＿１（６＿１）が発光しない値のＤＡＣコードを設定し（ステップＳ２０２）、対象チャンネルのＬＤ点灯信号をオンとする（ステップＳ２０３）。次いで、ＰＤ＿１（７＿１）からＬＤ＿１（６＿１）の発光光量に基づいてデジタル値を取り込み（ステップＳ２０４）、パワーメータ１３から光量Ｐを取り込む（ステップＳ２０５）。そして、Ｐが目標値になるまでＤＡＣコードを増分しながら（ステップＳ２０６、Ｓ２０７）、ステップＳ２０２からＳ２０６の手順を繰り返し、光量Ｐが目標値となった時点で、そのときのＤＡＣコードに基づくデジタル値を目標デジタル値とする（ステップＳ２０８）。次いで、対象チャンネルのＬＤ点灯信号をオフし（ステップＳ２０９）、対象チャンネルがＮになるまで（ステップＳ２１０、Ｓ２１１）、ステップＳ２０２からステップＳ２１１の処理を繰り返し、１〜Ｎチャンネルの目標デジタル値を求める。全てのチャンネルの目標デジタル値が求められた時点でこの処理は終了する。このフローチャートはプログラム化され、ＣＰＵ１で実行される。
【００４４】
図９の制御手順により求められた複数の目標デジタル値はＣＰＵに保持され、以降はこの複数の目標デジタル値を用いて各ＬＤの光量を一定値に保つ。
【００４５】
このように制御すると、ＬＤ駆動電流の設定値をＤＡＣ＿１〜Ｎ（２＿１〜Ｎ）に設定するのでホールドコンデンサが不要となる。
【００４６】
この実施例では、ＣＰＵ１が図８の手順で処理し、目標デジタル値を求めているが、この制御手順を調整工程にて実施し、求めた目標デジタル値をＣＰＵ１に内蔵した図示しない不揮発記憶手段に記憶するように構成することもできる。印刷装置として動作する場合には、前記不揮発記憶手段に記憶した目標デジタル値を使用して、ＬＤ光量を一定の値に保つようにする。この場合、目標デジタル値を求める制御手順は、印刷装置で実行する必要がなくなる。
【００４７】
図１０は図８の回路構成で目標デジタル値を求める他の制御手順を示すフローチャートである。この制御手順では、２つ目以降のＬＤ＿２・・・Ｎ（６＿２・・・Ｎ）の目標デジタル値を求める際、ＤＡＣコードの初期値として、１つ目のＬＤ＿１（６＿１）の光量が目標値に達したときのＤＡＣコード（ステップＳ２０８ａ，Ｓ２０８ｂ）に、１未満の係数（図１０では係数＝０．８）を掛け（ステップＳ２１２）、その値を基準にステップＳ２０３以降の処理を１ないしＮチャンネルまで実行する。これにより、ＬＤ＿１・・・Ｎ（６＿１・・・Ｎ）が必要以上に発光することはなく、また、目標光量にｔ近い光量からフローを開始するので、制御に要する時間を短縮することが可能となる。その他の各ステップは図９と同様に処理される。
【００４８】
なお、この制御手順もプログラム化され、ＣＰＵ１で実行される。
【００４９】
以上のように本実施形態によれば、
１）ＰＤ（光量検知部）７からのデジタル変換入力と、予め定めた目標デジタル値が一致するように新たなＤＡＣコードを定めて設定することにより、ＬＤの光量を目標の値に保つことができる。  
２）複数のＬＤ＿１・・・Ｎの光量をそれぞれ目標の値に保つことができる。  
３）調整工程で取得した目標デジタル値をＣＰＵ１の不揮発記憶部に記憶し、印刷装置に搭載された状態では、記憶された目標デジタル値を用いるので、印刷装置では、目標デジタル値を取得する必要がなくなる。  
４）ＬＤ光量が目標値となったときのＰＤ７からの電圧をデジタル変換した値を目標デジタル値とするので、正確な目標値を得ることができ、後の光量制御動作で、ＬＤ光量を目標の値に保つことができる。  
５）目標デジタル値を求めるとき、ＬＤ光量が目標値付近となったときのＬＤ光量と、光量検出部からの電圧をデジタル変換した値とから、目標デジタル値を算出するので、ＬＤへ供給する駆動電流を漸次増加するステップを増やすことが可能となり、目標デジタル値を求める制御に要する時間を短縮することができる。  
６）複数のＬＤ＿１・・・Ｎの目標デジタル値を求めるとき、２つ目以降のＬＤ＿２に関しては、ＬＤへ供給する駆動電流量を１つ目のＬＤ＿１が目標光量に達したときの駆動電流値に所定の係数を掛けた値から目標デジタル値を求める制御手順を開始するので、目標デジタル値を求める制御全体に要する時間を短縮することができる。  
７）ＬＤ６の目標デジタル値を求める際、ＬＤ光量の物理量が目標の値付近となった時点での光量Ａ／Ｄ変換値と、ＬＤ光量の物理量とから、目標デジタル値を算出するので、ＬＤ光量が目標値と一致していなくとも、正確に目標デジタル値を求めることができる。  
等の効果を奏する。
【図面の簡単な説明】
【００５０】
【図１】本発明の実施例１に係る光量制御装置の回路構成を示すブロック図である。
【図２】実施例１における画像出力しながら光量制御を行うタイミングを示すタイミングチャートである。
【図３】実施例１における目標デジタル値を求めるための回路構成を示すブロック図である。
【図４】図３の回路構成で目標デジタル値を求める制御手順を示すフローチャートである。
【図５】図３の回路構成で目標デジタル値を求める他の制御手順を示すフローチャートである。
【図６】本発明の実施例２に係る光量制御装置の回路構成を示すブロック図である。
【図７】実施例２における画像出力しながら光量制御を行うタイミングを示すタイミングチャートである。
【図８】実施例２における目標デジタル値を求めるための回路構成を示すブロック図である。
【図９】図８の回路構成で目標デジタル値を求める制御手順を示すフローチャートである。
【図１０】図８の回路構成で目標デジタル値を求める他の制御手順を示すフローチャートである。
【符号の説明】
【００５１】
１  ＣＰＵ
２，２＿１，２＿２，・・・，２＿Ｎ  ＤＡＣ
３，３＿１，３＿２，・・・，３＿Ｎ  Ｖ／Ｉ変換器
４，４＿１，４＿２，・・・，４＿Ｎ  電流増幅器
５，５＿１，５＿２，・・・，５＿Ｎ  スイッチング素子
６，６＿１，６＿２，・・・，６＿Ｎ  ＬＤ
７  ＰＤ
８  Ｉ／Ｖ変換器
９  ＡＤＣ
１０  Ｓ／Ｈ信号
１１，１１＿１，１１＿２，・・・，１１＿Ｎ  ＬＤ点灯信号
１３  光パワーメータ
１４  ハーフミラー
【図１】
2008218720.tif 000003
【図２】
2008218720.tif 000004
【図３】
2008218720.tif 000005
【図４】
2008218720.tif 000006
【図５】
2008218720.tif 000007
【図６】
2008218720.tif 000008
【図７】
2008218720.tif 000009
【図８】
2008218720.tif 000010
【図９】
2008218720.tif 000011
【図１０】
2008218720.tif 000012